(57)【要約】【課題】少量の石膏で歯科治療用の作業模型を作成することができ、作業模型が完成した後には、作業模型の土台の一部となり、歯科治療が終了したあとには再利用の可能な作業模型を作製するための石膏型枠兼歯型模型保持用型枠を提供することを目的とする。【解決手段】作業模型を作製するための型枠を、歯型模型を固着する作業模型の土台を作成するために液状の石膏を流し込む型枠であって、型枠の上面と底面はともに開口し、型枠を平らな板のうえに置いて石膏を流し込み、流し込まれた石膏の上に前記歯型模型を設置し、前記石膏が固化した後には前記歯型模型と一体となって作業用模型として機能し、作業用模型としての役割を終了したのちには、前記石膏を前記型枠から取り出し得るように構成する。【選択図】図１２
0003125813.tif 000002
【実用新案登録請求の範囲】
【請求項１】
歯型模型を固着する作業模型の土台を作成するために液状の石膏を流し込む型枠であって、
前記型枠の上面と底面はともに開口し、
前記型枠を平らな板のうえに置いて石膏を流し込み、流し込まれた石膏の上に前記歯型模型を設置し、前記石膏が固化した後には前記歯型模型と一体となって作業用模型として機能し、
前記作業用模型としての役割を終了したのちには、前記石膏を前記型枠から取り出し得るように構成されていることを特徴とする石膏型枠兼歯型模型保持用型枠。
【請求項２】
歯型模型を固着して作業模型を作成するために液状の石膏を流し込む型枠であって、
前記型枠の上面と底面はともに開口し、
前記型枠の側壁の内面と前記底面とがなす角度は９０度以上であって、
前記型枠を平らな板のうえに置いて石膏を流し込み、その上に前記歯型模型を設置して前記石膏が固化した後には前記歯型模型と一体となって作業用模型として機能し、
前記作業用模型としての役割を終了したのちには、前記石膏を前記型枠から取り出し得るように構成されていることを特徴とする石膏型枠兼歯型模型保持用型枠。
【請求項３】
請求項１または２に記載の石膏型枠兼歯型模型保持用型枠において、
前記型枠の側壁の一部は、他の側壁より高さが低いことを特徴とする石膏型枠兼歯型模型保持用型枠。
【請求項４】
請求項１乃至３に記載の石膏型枠兼歯型模型保持用型枠において、
前記型枠は硬質樹脂よりなることを特徴とする石膏型枠兼歯型模型保持用型枠。
【請求項５】
請求項１乃至４のいずれかに記載の石膏型枠兼歯型模型保持用型枠において、
前記型枠の側壁の底面は溝を有することを特徴とする石膏型枠兼歯型模型保持用型枠。
【考案の詳細な説明】
【技術分野】
【０００１】
本考案は歯科医療における作業模型を作成する際に使用される石膏型枠、および作業模型を保持する型枠に関する。
【背景技術】
【０００２】
歯科治療において、歯の歯冠部を人工的な物質（以下「修復物」ともいう）で修復しなければならない場合には、修復物を作成・調整するために、口腔内の状態を再現した作業模型といわれる模型を作成する。該作業模型を使用して、歯科技工士は修復物の作製と微妙な調整を行う。また、歯科医が歯科治療中に修復物の調整を行う際にも該作業模型を使用する。
【０００３】
図２は、従来の作業模型の概略を示す斜視図である。作業模型は歯科医院で患者の歯型から石膏を用いて作成される歯型模型３００の底面部にダウエルピンを埋め込み、ダウエルピンが埋め込まれた歯型模型を型に注入された石膏の上に設置し、石膏が固化したら、型から取り出すことによって作製される。
【０００４】
図３は歯科医院において作製される歯型模型の概略を示す斜視図である。歯科医院で作製された歯型模型は周囲にバリがついた状態のままであるので、歯科技工士がバリを除去し、底面部を平らにしてから、ダウエルピンを埋め込む。
【０００５】
図７は石膏を流し込む従来の型（以下「石膏型」ともいう）の斜視図である。作業模型の土台となる部分の大きさと形状は石膏型の大きさと形状によって定まる。作業模型は作業中に少々の力が加わっても転倒しないことが必要であるために土台部分はある程度の大きさが必要である。そのため、従来の石膏型は歯型模型よりかなり大きなものであった。
【０００６】
また、作業模型は、歯科医院において、修復物による歯科治療が完了した後は、再利用することもできないので、産業廃棄物として破棄されている。
【特許文献１】特開平５−２２９５５６
【考案の開示】
【考案が解決しようとする課題】
【０００７】
現在の歯科治療においては作業模型が頻繁に使用され、また歯科治療を受ける人は全国的に考えれば膨大な人数である。この結果、廃棄される石膏の量も膨大な量となる。
【０００８】
そこで、本考案は最小限の石膏で歯科治療用の作業模型を作成することができ、作業模型が完成した後には、作業模型の土台の一部となり、歯科治療が終了したあとには再利用の可能な、作業模型を作製するための石膏型枠兼歯型模型保持用型枠を提供することを目的とする。
【課題を解決するための手段】
【０００９】
請求項１に記載された考案は、歯型模型を固着して作業模型の土台を作成するために液状の石膏を流し込む石膏型枠兼歯型模型保持用型枠であって、
前記型枠の上面と底面はともに開口し、
前記型枠を平らな板のうえに置いて石膏を流し込み、流し込まれた石膏の上に前記歯型模型を設置し、前記石膏が固化した後には前記歯型模型と一体となって作業用模型として機能し、
前記作業用模型としての役割を終了したのちには、前記石膏を前記型枠から取り出し得るように構成されていることを特徴とする。
【００１０】
請求項２に記載された考案は、歯型模型を固着して作業模型の土台を作成するために液
状の石膏を流し込む石膏型枠兼歯型模型保持用型枠であって、
前記型枠の上面と底面はともに開口し、
前記型枠の側壁の内面と前記底面とがなす角度は９０度以上であって、
前記型枠を平らな板のうえに置いて石膏を流し込み、その上に前記歯型模型を設置して前記石膏が固化した後には前記歯型模型と一体となって作業用模型として機能し、
前記作業用模型としての役割を終了したのちには、前記石膏を前記型枠から取り出し得るように構成されていることを特徴とする。
【００１１】
請求項３に記載された考案は、請求項１または２に記載の石膏型枠兼歯型模型保持用型枠に係り、
前記型枠の側壁の一部は、他の側壁より高さが低いことを特徴とする。
【００１２】
請求項４に記載された考案は、請求項１乃至３に記載の石膏型枠兼歯型模型保持用型枠に係り、
前記型枠は硬質樹脂よりなることを特徴とする。
【００１３】
請求項５に記載された考案は、請求項１乃至４に記載の石膏型枠兼歯型模型保持用型枠に係り、
前記型枠の側壁の底面部は溝を有することを特徴とする。
【考案の効果】
【００１４】
請求項１に記載の考案によれば、従来の型枠を使用して歯科治療用の作業模型を作製する場合に比較して、必要とする石膏の量を低減できる。この結果、産業廃棄物として廃棄する石膏の量も低減することができ、材料費の低減だけではなく、自然保護の観点からの効果もある。図１は実施の携帯に係る石膏型枠兼歯型模型保持用型枠の一つである。また、図４は図１に示される石膏型枠兼歯型模型保持用型枠１００を使用して作製した作業模型である。図４の作業模型は図１の石膏型枠兼歯型模型保持用型枠１００の内側に石膏を流し込んで作製する。したがって、図４の作業模型を作製するために必要な石膏の量は石膏型枠兼歯型模型保持用型枠１００の内側の部分の体積に相当する量である。
【００１５】
図２は従来の作業模型である。この模型のうち歯科模型部分２０１は歯科医院から供給された歯型模型を調整して作製する。この作業模型は歯科技工士が修正物を治療箇所に対応する模型部分に被せて作業をするものであり、作業中は作業模型に相当の力が加わる。そのため、作業模型２００の土台部分はある程度の大きさが必要であり、それに相当する石膏が必要である。
【００１６】
請求項１に記載の考案に係る作業模型の場合には作業模型の土台部分のうち外側の部分は石膏型枠兼歯型模型保持用型枠によって構成されており、土台の中心部分だけが石膏である。歯科医院における歯科治療が終了したのちには、石膏型枠兼歯型模型保持用型枠から土台の中心部分の石膏を抜いて石膏部分だけを廃棄し、石膏型枠兼歯型模型保持用型枠は再利用する。図５は石膏型枠兼歯型模型保持用型枠から石膏の部分を抜き出したものの斜視図である。図２と図５を比較すればわかるように作業模型の土台部分が両者では大きく異なる。
【００１７】
したがって、作業模型を本考案に係る石膏型枠兼歯型模型保持用型枠によって作製する場合には、石膏部分の体積は、従来の型枠によって作業模型を作製する場合より少なくなり、廃棄する石膏の量を削減できる。
【００１８】
また、請求項２に記載の考案によれば、請求項１に記載の効果に加えて、歯科治療が終了して、作業模型の石膏の部分を廃棄する際に、石膏を取り出し易いという効果が得られる。図を参照して説明する。図１０は図１の実施の形態１に係る石膏型枠兼歯型模型保持用型枠の底面図である。また、図１１は図１０のＢ−Ｂ切断線の断面図である。
【００１９】
図１１において、Ａは石膏型枠兼歯型模型保持用型枠の底面１０５と側壁の内面１０３がなす角度であり、この角度は９０度以上である。その結果、石膏型枠兼歯型模型保持用型枠に流し込み固化した石膏を底面１０５側から押すことにより、上面１０６側に押し出すことができる。
【００２０】
また、請求項３に記載の考案によれば、請求項１または２記載の考案の効果に加えて、
石膏を流し込む場合に、側壁の高さが低い部分を添え木等をして、石膏が高さの低い部分から流れ出ることを防止して作業模型を作製することにより、廃棄する石膏の量を低減できる。
【００２１】
また、請求項４に記載の考案によれば、請求項１乃至３に記載の考案の効果と同様の効果を得られる。
【００２２】
また、請求項５に記載の考案によれば、請求項１乃至４に記載の考案の効果に加えて、より、石膏型枠兼歯型模型保持用型枠１００を他の機器に設置して作業する場合に位置がずれることを防止できる。
【００２３】
図を参照しつつ説明する。図１０の１００１は石膏型枠兼歯型模型保持用型枠１００の側壁の底面部に設けられた溝である。該溝をかみ合うような溝を石膏型枠兼歯型模型保持用型枠１００を設置する台や他の機器に設けることによって、石膏型枠兼歯型模型保持用型枠１００と台や他の機器とずれを生じさせることなく固着させることができる。
【考案を実施するための最良の形態】
【００２４】
以下、図を参照しつつ、考案を実施するための最良の形態につき説明する。
（実施の形態１）
以下、図を参照して説明する。
【００２５】
図１は実施の形態１に係る石膏型枠兼歯型模型保持用型枠１００である。また、図９は図１に示される石膏型枠兼歯型模型保持用型枠１００を後ろ側の方向から視た斜視図である。図１において、１０１は石膏型枠兼歯型模型保持用型枠１００の上面部（以下「上面部」ともいう）である。また、１０２は石膏型枠兼歯型模型保持用型枠１００の底面部（以下「底面部」ともいう）である。石膏型枠兼歯型模型保持用型枠１００の上面側も底面側も開口している。１０４は石膏型枠兼歯型模型保持用型枠１００の側壁のうち他の部分より高さが低くなり、底面の開口部の内側に中に入り込んでいる部分である。この部分を設けることにより使用し廃棄する石膏の量をさらに低減することができる。図８は石膏型枠兼歯型模型保持用型枠１００に石膏を流し込んで固化したものを石膏型枠兼歯型模型保持用型枠１００から抜き出したものの外観を示す斜視図である。この図の凹型の部分８０１が形成されることにより、使用し廃棄する石膏の量をさらに削減できる。図１の１０３は石膏型枠兼歯型模型保持用型枠１００の側壁の内側の面（以下「側壁内面」ともいう）である。側壁内面１０３と底面１０６とがなす角度は９０度以上である。該角度を９０度以上にすることにより、歯科治療が終了して、石膏を廃棄するために石膏部分を取り出す際に、石膏を石膏型枠兼歯型模型保持用型枠１００の上面側に取り出す作業が容易になる。石膏型枠兼歯型模型保持用型枠１００の材質は硬質樹脂である。硬質樹脂で作製すると、硬質樹脂は経年変化が少なく、作業模型を歯科医院で使用する時期が作業模型を作製した時期より相当経過した場合であっても、石膏型枠兼歯型模型保持用型枠１００の側壁の外面は何の変化もなく綺麗で清潔感を感じられる。他方、従来の作業模型の場合には、作製時期から相当の期間を経過すると、作業模型側面の石膏部分の色に変化が生じ、美観と清潔感に悪影響を生じさせていた。
【００２６】
この石膏型枠兼歯型模型保持用型枠１００の製造方法について、例えば、硬質樹脂を金型等によって成型して作製する。この製法については特に特徴はなく公知の方法と同様であるので、説明は省略する。
【００２７】
次に、石膏型枠兼歯型模型保持用型枠１００を使用して作業模型４００を作製する方法について説明する。作業模型４００は歯型模型部分２０１と作業模型の土台部分（以下「土台部分」ともいう）とからなる。土台部分は石膏型枠兼歯型模型保持用型枠１００の内側に石膏を流し込んで作製する。歯科模型部分２０１は図３に示される歯科医院から供給される歯型模型３００の周辺にあるバリを取り、底面部を平らにし、ダニエルピンを埋め込んで作製する。本考案においては歯科模型部分２０１については公知のものと同じであり、作成方法も同じであるので詳細な説明は省略する。
【００２８】
歯科模型部分２０１は石膏型枠兼歯型模型保持用型枠１００の中に流し込まれた石膏の上に所定の方法により設置して作製する。この歯科模型部分２０１を土台部分に固着させる方法についても公知の方法と同じであるので、詳細な説明は省略する。
【００２９】
石膏型枠兼歯型模型保持用型枠１００に流し込まれた石膏が固化することによって作業模型は完成する。完成したあとは、石膏型枠兼歯型模型保持用型枠１００は作業模型の土台部分の一部となる。石膏型枠兼歯型模型保持用型枠１００を作業模型の土台部分の一部とすることにより、石膏型枠兼歯型模型保持用型枠１００の大きさを図７に示される従来の型枠７００の大きさより小さくすることができる。その結果、作業模型を作製するために使用して、最終的には廃棄する石膏の量を低減できる。より詳細には、石膏型枠兼歯型模型保持用型枠１００の外形の体積を従来の型枠７００の内側の空間の体積であって石膏を流し込む部分の体積と略同一とすれば、従来の型枠７００で作製された作業模型と略同一の作業模型を作製することができ、低減できる石膏の体積は、石膏型枠兼歯型模型保持用型枠１００が空間に占める体積と略同一である。よって、石膏型枠兼歯型模型保持用型枠１００の側壁の肉厚が大きいほど低減できる石膏の体積も大きい。
【００３０】
（実施の形態２）
図６は実施の形態２に係る石膏型枠兼歯型模型保持用型枠６００を使用した作業模型の外観を示す斜視図である。石膏型枠兼歯型模型保持用型枠６００は実施の形態１に係る石膏型枠兼歯型模型保持用型枠１００の場合より少数の歯の歯型を模倣する場合の作業模型を作製するための石膏型枠兼歯型模型保持用型枠である。
【００３１】
（実施の形態３）
図１２は実施の形態３に係る石膏型枠兼歯型模型保持用型枠の斜視図である。
【００３２】
本型枠の特徴としては全体の形が馬蹄形をしており、該馬蹄形の内側の部分の側壁の厚みが大きく、一部にくぼみ１２０４が存在していることである。ただし、考案の要件である、側壁の内面１０３と底面１０５とがなす角度Ａ（図１４参照）が９０度以上であり、底面１０５と上面１０６とがともに開口している点では、実施の形態１及び２の型枠と同様である。
【００３３】
本実施の形態３に係る型枠の場合には、図１に示されている実施の形態１に係る型枠の場合よりもさらに、最終的に破棄することになる石膏の量を少なくすることができる。
【００３４】
図１３は実施の形態３に係る型枠の平面図である。くぼみ１２０４の部分には必要に応じて、別の器具を本型枠に取り付けるための穴等を設置することもある。
【００３５】
図１４は図１３の切断線Ｃ方向の本型枠の断面図である。図１４において、Ａは本型枠の側壁の内面１０３と底面１０５とがなす角度であり、９０度以上である。
【００３６】
実施の形態１、２及び３に示されるように、本考案に係る石膏型枠兼歯型模型保持用型枠は、作製対象となる作業模型の形状と大きさによって、型枠の形状と大きさは異なる。
【００３７】
ただし、形状と大きさの特徴である、上面と底面に開口部があり、側壁の内面と底面とがなす角度が９０度以上である点等では共通している。
【００３８】
なお、以上の説明において、底面１０５は石膏型枠兼歯型模型保持用型枠の下側の部分が形成する平面を意味し、底面部１０２は底面１０５のうち石膏型枠兼歯型模型保持用型枠が存在する部分をいう。同様に上面１０６は石膏型枠兼歯型模型保持用型枠の上側の部分が形成する平面を意味し、上面部１０１は上面１０６のうち石膏型枠兼歯型模型保持用型枠が存在する部分をいう。
【図面の簡単な説明】
【００３９】
【図１】実施の形態１に係る石膏型枠兼歯型模型保持用型枠の外観を示す斜視図である。
【図２】従来の作業模型の概略を示す斜視図である。
【図３】歯型模型の概略を示す斜視図である。
【図４】本考案に係る石膏型枠兼歯型模型保持用型枠を使用した作業模型である。
【図５】本考案に係る石膏型枠兼歯型模型保持用型枠を使用した作業模型から石膏の部分を取り出した外観を示す斜視図である。
【図６】実施の形態２に係る石膏型枠兼歯型模型保持用型枠６００の外観を示す斜視図である。
【図７】石膏を流し込む従来の型の斜視図である。
【図８】石膏型枠兼歯型模型保持用型枠１００に石膏を流し込んで固化したものを石膏型枠兼歯型模型保持用型枠１００から抜き出したものの外観を示す斜視図である。
【図９】図１の実施の形態１に係る石膏型枠兼歯型模型保持用型枠を後ろ側から視た斜視図である。
【図１０】実施の形態１に係る石膏型枠兼歯型模型保持用型枠の底面図である。
【図１１】図１０のＢ−Ｂ切断線の断面図である。
【図１２】実施の形態３に係る石膏型枠兼歯型模型保持用型枠の斜視図である。
【図１３】実施の形態３に係る石膏型枠兼歯型模型保持用型枠の平面図である。
【図１４】図１３のＣ−Ｃ切断線の断面図である。
【符号の説明】
【００４０】
１００      石膏型枠兼歯型模型保持用型枠
１０１      石膏型枠兼歯型模型保持用型枠の上面部
１０２      石膏型枠兼歯型模型保持用型枠の底面部
１０３      石膏型枠兼歯型模型保持用型枠１００の側壁の内面
１０４      石膏型枠兼歯型模型保持用型枠１００の側壁のうち他の部分より高さが低く底面の開口部の中に入り込んでいる部分
１０５      底面
１０６      上面
２００      従来の作業模型
２０１      作業模型の歯型模型部分
３００      歯型模型
４００      石膏型枠兼歯型模型保持用型枠を使用して作製した作業模型
１２０４      くぼみ
【図１】
0003125813.tif 000003
【図２】
0003125813.tif 000004
【図３】
0003125813.tif 000005
【図４】
0003125813.tif 000006
【図５】
0003125813.tif 000007
【図６】
0003125813.tif 000008
【図７】
0003125813.tif 000009
【図８】
0003125813.tif 000010
【図９】
0003125813.tif 000011
【図１０】
0003125813.tif 000012
【図１１】
0003125813.tif 000013
【図１２】
0003125813.tif 000014
【図１３】
0003125813.tif 000015
【図１４】
0003125813.tif 000016
【手続補正書】
【提出日】平成18年8月1日(2006.8.1)
【手続補正１】
【補正対象書類名】実用新案登録請求の範囲
【補正対象項目名】請求項４
【補正方法】変更
【補正の内容】
【請求項４】
請求項１乃至３のいずれかに記載の石膏型枠兼歯型模型保持用型枠において、
前記型枠は硬質樹脂よりなることを特徴とする石膏型枠兼歯型模型保持用型枠。